(57)【要約】一端部が磁石(4)の磁極面に接し、固定接触子(1)および可動接触子(2)の少なくとも何れか一方と磁石(4)との間に延在する長尺状の磁性体(3)とを備えた開閉装置であって、両接触子(1)(2)の何れか一方を磁性材料により磁性体(3)と一体成型して吸引棒一体型接触子(10)を構成するようにした。
2015186245.tif 000002
【特許請求の範囲】
【請求項１】
固定接点を有する固定接触子と、可動接点を有する可動接触子と、前記固定接点と前記可動接点との開閉動作を行う開閉機構部と、磁石と、一端部が前記磁石の磁極面に接し、前記固定接触子および前記可動接触子の少なくとも何れか一方と前記磁石との間に延在する長尺状の磁性体とを有する開閉装置において、前記固定接触子および前記可動接触子の少なくとも何れか一方を磁性材料により前記磁性体と一体成型した吸引棒一体型接触子を備えたことを特徴とする開閉装置。
【請求項２】
前記固定接触子と可動接触子の両方を磁性材料で形成したことを特徴とする請求項１に記載の開閉装置。
【請求項３】
前記吸引棒一体型接触子から分岐するアーク転流部を設けたことを特徴とする請求項１または請求項２に記載の開閉装置。
【請求項４】
前記吸引棒一体型接触子は、前記磁石と接触する面と、前記固定接点、あるいは可動接点との間に、一部の断面積が小さい収縮部を形成したことを特徴とする請求項１から請求項３のいずれか１項に記載の開閉装置。
【請求項５】
一端に前記固定接点が配置され、他端に前記磁石が配置された消弧室を有することを特徴とする請求項１から請求項４のいずれか１項に記載の開閉装置。
【請求項６】
前記磁石は、磁界を発生し、前記固定接点と前記可動接点との開離時に前記固定接触子と前記可動接触子間で発生したアークを伸張させ、前記アークは、前記磁性体の長手方向側面に沿って伸張されること特徴とする請求項１から請求項５のいずれか１項に記載の開閉装置。
【請求項７】
前記磁石は、磁界を発生し、前記固定接点と前記可動接点との開離時に前記固定接触子と前記可動接触子間で発生したアークを伸張させ、前記アークは、前記アーク転流部から前記磁性体の長手方向側面に沿って伸張されること特徴とする請求項３に記載の開閉装置。
【発明の詳細な説明】
【技術分野】
【０００１】
この発明は、電流を遮断するスイッチ、開閉器、遮断器、電磁接触器、継電器などの開閉装置に関するものである。
【背景技術】
【０００２】
開閉装置では、接点間に発生したアークを引き伸ばしてアーク抵抗を高め、アーク電圧を高電圧化して電流を遮断する。特に、ＤＣ用開閉装置では、電源電圧よりアーク電圧を高くし、電流零点を発生させて遮断する必要があるため、アークを引き伸ばす技術は重要である。従来、一般的にアークを引き伸ばすには、永久磁石の磁力線をアークに鎖交させ、アークにローレンツ力を作用させることでアーク長を引き伸ばしている（例えば、特許文献１参照。）。
【先行技術文献】
【特許文献】
【０００３】
【特許文献１】特開２００９−８７９１８号公報
【発明の概要】
【発明が解決しようとする課題】
【０００４】
アークを消弧するために消弧室に磁石を搭載した開閉装置において、通電方向が逆になると、アークの駆動方向が逆転するため、遮断信頼性が低下する問題がある。また、アークが逆方向に駆動した場合でも遮断できるように消弧空間を拡げる手段もあるが、この手段では装置が大形化する問題がある。また、磁石の磁極面との対向面よりも外側まで駆動、伸張したアークには磁気駆動作用が働きにくくなるだけでなく、磁石から生成される磁力線が予期しない向きの電磁力を引き起すため、遮断の信頼性が低下する。
このような開閉装置では、アークに所望のローレンツ力を作用させるためにローレンツ力の作用面に対し、一様な方向の磁力線を作用させる必要がある。アークに対して一様な方向の磁力線を鎖交させるためには、ローレンツ力の作用面よりも永久磁石の磁極面を大きくしなければならず、高コストな構成となり、配置スペースを確保することが困難となる。【０００５】
また、永久磁石の磁極面に対向しない箇所に位置するアークに対しては、永久磁石から生成する磁力線が予期しない向きのローレンツ力を生じさせるため、遮断の信頼性が低下し、最悪の場合は遮断不能となる事故を引き起してしまう。従来の永久磁石を搭載した開閉装置では、アークは永久磁石の対向面より外側まで引き伸ばす場合がほとんどで、このような開閉装置では遮断の信頼性が乏しくなる。
また、永久磁石からの磁力線を永久磁石の対向面より外側でも形成させるため、磁気ヨークを用いることがあるが、永久磁石からの磁力線によって生じるローレンツ力は、電流の向きが変わると逆方向に作用するため、この場合では逆接接続すると遮断が困難となり事故の原因となる。この事故を避けるためには、電流の向きが逆転してアークが逆方向に動いても十分に伸張できるアーク伸張空間と磁気ヨークを搭載しなければならず、開閉装置が大形化する問題があった。【０００６】
この発明は、上記のような問題点を解決するためになされたもので、電流の向きに依らず小形磁石を用いた場合でも十分な遮断信頼性を確保できる開閉装置を得ることを目的とする。
【課題を解決するための手段】
【０００７】
この発明に係わる開閉装置は、固定接点を有する固定接触子と、可動接点を有する可動接触子と、前記固定接点と前記可動接点との開閉動作を行う開閉機構部と、磁石と、一端部が前記磁石の磁極面に接し、前記固定接触子および前記可動接触子の少なくとも何れか一方と前記磁石との間に延在する長尺状の磁性体とを有する開閉装置において、前記固定接触子および前記可動接触子の少なくとも何れか一方を磁性材料により前記磁性体と一体成型した吸引棒一体型接触子を備えたものである。
【発明の効果】
【０００８】
この発明の開閉装置によれば、電流の向きに関係なく、接触子間に発生したアークを長尺状の磁性体である吸引棒の側面に沿って磁石の方向へ駆動できる。この際アークは、吸引棒の側面を沿って駆動されながら磁石の方向に向かって走行、伸張するため、アークは急速に冷却される。これらにより逆極性の電流が流れた場合でも高い遮断信頼性を保ちつつ、安価で小形の開閉装置を構成する事が可能となる。
また、固定接触子と上記吸引棒を一体成型することで、部品点数を低減させることができるだけでなく、磁石から発生する磁力線を固定接点付近まで効率的に誘導できるため、開極時に発生するアークは速やかに駆動・伸長され接点損耗を抑制することができる。【０００９】
上述した、またその他の、この発明の目的、特徴、効果は、以下の実施の形態における詳細な説明および図面の記載からより明らかとなるであろう。
【図面の簡単な説明】
【００１０】
【図１】この発明の基礎となる技術を示す開閉装置の開極状態における消弧室部分の要部構成を概略的に示す側断面図である。
【図２】図１の開閉装置のアークの消弧動作を説明するための説明図である。
【図３】この発明の実施の形態１における開閉装置の開極状態における消弧室部分の要部構成を概略的に示す側断面図である。
【図４】この発明の実施の形態２における開閉装置の開極状態における消弧室部分の要部構成を概略的に示す側断面図である。
【図５】この発明の実施の形態３における開閉装置の開極状態における消弧室部分の要部構成を概略的に示す側断面図である。
【図６】この発明の実施の形態４における開閉装置の吸引棒一体型接触子を示す斜視図である。
【図７】この発明の実施の形態５における開閉装置の開極状態における消弧室部分の要部構成を概略的に示す側断面図である。
【図８】この発明の実施の形態６における開閉装置の開極状態における消弧室部分の要部構成を概略的に示す側断面図である。
【発明を実施するための形態】
【００１１】
以下、図面に基づいて、この発明の各実施の形態を説明する。なお、各図中、同一符号は同一あるいは相当部分を示すものとし、重複説明は省略する。
【００１２】
実施の形態１．  
図１、図２は、この発明の基礎となる技術を示すもので、図１は、開閉装置の開極状態における開閉機構部と消弧室部分の要部構成を示す側断面図、図２は、図１の開閉装置のアークの消弧動作を説明するための説明図である。
図１に示すように、この発明の基礎となる開閉装置１００は、固定接点１ａを有する固定接触子１と、可動接点２ａを有する可動接触子２と、固定接点１ａと可動接点２ａとの開閉動作を行う開閉機構部１０３と、固定接点１ａと可動接点２ａとの開離時に固定接触子１と可動接触子２間で発生したアークを伸張させるための磁界を発生させる磁石４と、一端部が磁石４の磁極面に接し、他端部が固定接触子１の側にあり、固定接触子１と磁石４との間に延在する長尺状の磁性体である吸引棒３とを備えている。そして、吸引棒３の他端部は固定接触子１と可動接触子２との間のアーク発生領域に近接するように配置され、両接点１ａ、２ａの開離時に両接触子１、２間で発生したアークＡを制御して伸張させる磁石４と、一端部がアーク発生領域の近傍に配置されると共に他端部が磁石４の一方の磁極面に面接合された磁性体からなる吸引棒３とを基本構成とするものであり、前記構成によってアークＡは、磁石４により発生した磁界によって、磁性体である吸引棒３の長手方向側面に沿って伸張される。
【００１３】
以下、図１、図２を参照してより詳細に開閉装置１００の構成、動作について説明する。
図１において、開閉装置１００は、絶縁物からなるケース１０１によって構成された筐体の両端部に、外部の電力回路と接続される固定側端子部１１及び可動側端子部１２が設けられ、下部にはアークを消弧するために、一端に固定接点１ａが配置され、他端に磁石４が配置された消弧室１０２が設けられている。
消弧室１０２には、固定側端子部１１と一体的に形成され、所定部に固定接点１ａが設けられた固定接触子１と、固定接点１ａに接離する可動接点２ａを有し回動するように設けられた可動接触子２と、固定接触子１と可動接触子２とが挟みこむ空間に対向するよう、一端部がアークの発生領域の近傍に配置された長尺状の磁性体からなる吸引棒３と、この吸引棒３に隣接（面接合）し吸引棒３の他端部、すなわち固定接点１ａと可動接点２ａとの両接点間で発生するアークＡの対向面とは逆側の吸引棒３の他端部端面に、この端面と対向する磁極面を面接合し吸引棒３周側面に沿いながらアークを駆動させる磁石４とが配置されている。なお、１５は可撓導体である。
【００１４】
なお、吸引棒３は、丸棒、または直方体、または円筒形、または多角形状の棒などの形体を用いても同様の効果が得られるものであり、また吸引棒３は、後述するように、紙面手前に通電方向を持つアークＡの発生領域に対向するように設けた磁性体用絶縁カバー３ｃで保護されており、磁石４には後述する磁気補強板６が取り付けられている。その他、図示していない部分の構成等は、例えば特許文献１の従来技術などと同様である。
【００１５】
次に、磁性体用絶縁カバー３ｃで保護された吸引棒３のアーク発生位置とは逆側の端面を、Ｎ極を持つ永久磁石４１の磁極面に面接合した図２のモデルによって、アークの消弧原理を、消弧に至る進展段階を（I）〜（V）の５段階に別けて説明する。
【００１６】
図２において、まず、消弧の進展段階（Ｉ）においては、永久磁石４１から発生する磁力線Ｍが吸引棒３により誘導され、吸引棒３の先端からアークに向かって、アークへの鎖交磁場が発生するようになる。鎖交磁場によりアークにローレンツ力が作用し、アークは図２の下側方向に駆動される。
次に、消弧の進展段階（II）においては、（Ｉ）の段階で駆動されたアークに、吸引棒３の先端から永久磁石４１のＳ極側に回り込むように形成される磁力線Ｍが鎖交するようになる。この鎖交磁場により吸引棒長手方向の側面部分に拡がるアーク伸張空間にアークは、引きこまれる。
【００１７】
次に、消弧の進展段階（III）において、アーク伸張空間に引きこまれたアークは、吸引棒３の側面から法線上に発生する磁力線Ｍにより更に奥まで引きこまれる。アークは奥に引きこまれるほど、吸引棒３の側面から発生する磁場強度が高まるため、アークは吸引棒３からの脱離が困難となり、安定してアークを吸引棒３の奥側(右側)に伸張させることができる。また、奥に引きこまれたアークに鎖交する磁力線には、永久磁石４１のＳ極側に回り込む磁力線が多く含まれるようになり、この向き(図の右側方向)の磁力線による鎖交磁場はアークを吸引棒３の内側に引き寄せる力を引き起す。
【００１８】
次に、消弧の進展段階（IV）において、吸引棒３を保護する磁性体用絶縁カバー３ｃに近接したアークには、更に強い力で吸引棒３の内側に押し込むローレンツ力が作用するようになる。これによりアークは磁性体用絶縁カバー３ｃに向かって圧縮され、アーク内部の抵抗が急激に高まる。そして、磁性体用絶縁カバー３ｃのアーク露出面からアーク熱により発生する溶発ガスがアークに向かって吹き付けられるようになり、これによりアークは冷却され、アーク内部の抵抗が更に高まるようになる。
【００１９】
最後に、消弧の進展段階（V）において、磁性体用絶縁カバー３ｃの一部に図に示すような凹状の細隙３ｅを設けた場合には、吸引棒３の内側に押し込むローレンツ力により細隙３ｅ内にアークが引き込まれアークが細く収縮するようになる。更に収縮したアークの周囲から磁性体用絶縁カバー３ｃによる溶発ガスが吹き付けられ、アーク内部でその導電性を維持できなくなるまで抵抗が高まり、消弧に至る。
【００２０】
なお、上記の構造によると、通電方向が逆の場合でも同様の効果があり、それぞれの消弧の進展段階において、図２に示すように吸引棒３の軸で対称となるようにアークが伸張していく。また、永久磁石４１（又は磁石４）の磁極面の向きが逆の場合でも同様の効果が得られ、それぞれの消弧の進展段階において、吸引棒３の軸で対象となるようにアークが伸張していく。
このように、吸引棒３と永久磁石４１（又は磁石４）を用いることでアークを同一方向に駆動、伸張することができるようになり、開閉装置を大形化することなく、遮断の信頼性を高めることができる。
【００２１】
なお、図１の開閉装置では、上記の基本構成のほかに以下の部材を付加することにより更なる効果を有するものである。
まず、開閉装置はアーク伸張空間部を備えており、永久磁石(又は磁石)をアーク伸張空間部に配置することで、アークを伸張できる長さを拡張でき、アーク抵抗をさらに高めることができる。
また、永久磁石４１（又は磁石４）の吸引棒３と隣接（面接合）していない反対側（反吸引棒側）の磁極面に、磁性体からなる磁気補強板６を設けることで、吸引棒３を介して永久磁石４１（又は磁石４）の周囲を周回する磁力線が形成する磁気回路の磁気抵抗が低下するため、吸引棒３の表面から発生する磁場強度が高まり、消弧性能をさらに高めることができる。
【００２２】
また、図１の形態で使用する磁石４を、永久磁石４１で構成することで、アークに一定磁束を作用することができるため、通電導体から発生する磁束が弱い電流領域(例えば1kA未満)でも安定した遮断を行うことができる。
【００２３】
次にこの発明の実施の形態１について、図３にもとづき説明する。
図３はこの発明の実施の形態１における開閉装置の開極状態における消弧室部分の要部構成を概略的に示す側断面図である。この発明の実施の形態１の開閉装置は、上述した図１の構成を基本構成として、固定接触子と長尺の磁性体である吸引棒とを磁性材料により一体成型して、固定接触子を吸引棒一体型接触子（以下、単に一体型接触子ともいう。）１０としたものである。つまり、吸引棒一体型接触子１０は、一端部が磁石４の磁極面に接し、他端部に固定接触子１の機能が形成されているといえる。すなわち、固定接触子１における吸引棒３の側の端部と、吸引棒３の他端部とが一体となったものが吸引棒一体型接触子１０である。なお、その他の構成は、図１の開閉装置と同様故、説明は省略する。
【００２４】
以上のように構成されたこの発明の実施の形態１の開閉装置によれば、図１の装置で述べた作用効果に加え、固定接触子と吸引棒を一体成型することで、部品点数を低減させることができるだけでなく、磁石から発生する磁力線を固定接点付近まで効率的に誘導できるため、開極時に発生するアークは速やかに駆動・伸長され接点損耗を抑制することができる効果がある。
【００２５】
なお、吸引棒と固定接触子を一体成型した一体型接触子構成において、可動接触子もまた磁性材料で形成しても良い。固定および可動の両接触子を磁性材料で形成して吸引棒と一体成型することにより、閉極時において磁石から生じる磁力による引力が両接触子間で作用し、閉極時に生じる接点損耗の原因となるチャタリング現象を抑制することができる。
【００２６】
実施の形態２．
次に、この発明の実施の形態１の変形例である実施の形態２を、図４にもとづき説明する。実施の形態２では、実施の形態１の吸引棒と固定接触子を一体成型した吸引棒一体型接触子１０を備えた構成に加えて、アークを転流させて保持するため、吸引棒一体型接触子１０から分岐するアーク転流部１０Ａを設け、アークをアーク転流部１０Ａから吸引棒の長手方向側面に沿って伸長させるようにしたものである。
【００２７】
この実施の形態２によると、アークを固定接点１ａから離れた位置で保持できるようになるため、接点損耗が抑制され接点の接触信頼性を高めることができる。また、本発明の効果により伸長したアークが、吸引棒一体型接触子１０と可動接触子２間で絶縁破壊して短絡した場合においても、アーク転流部１０Ａと可動接触子２との間で短絡することとなるため、両接点１ａ、２ａ間への逆戻りを防止でき、遮断性能を安定化させることができるようになる。
【００２８】
実施の形態３．
次に、この発明の実施の形態２の変形例である実施の形態３を、図５にもとづき説明する。実施の形態３では、アーク転流部１０Ａを、磁性体用絶縁カバー３ｃから露出するように設けている。
【００２９】
この実施の形態３によると、アーク転流部１０Ａの周囲の磁性体用絶縁カバー３ｃからアーク熱によって絶縁性の溶発ガスが噴出し、充満するようになり、アーク内部の抵抗をより高めることができ、さらに、両接触子１０、２間での短絡の可能性を大幅に抑制することができるようになる。
【００３０】
実施の形態４．
次に、実施の形態２で示される吸引棒一体型接触子の変形例であるこの発明の実施の形態４を、図６にもとづき説明する。
この実施の形態４では、吸引棒一体型接触子１０において、固定接点１ａと、磁石４（図４参照）の磁極面との間に位置する一部の断面積を小さくした収縮部１０Ｂを設けたものである。
【００３１】
この実施の形態４によれば、磁石から発生する磁力線が収縮部１０Ｂで密集し、収縮部１０Ｂの周囲の空間において、アークに作用する電磁力を強めることができる。
また、収縮部１０Ｂを固定接点１ａ近傍に配置することで、接点開離直後に発生するアークを速やかに磁石側へ移動させることができるため、接点損耗を抑制することもできる。
【００３２】
実施の形態５．
次に、この発明の実施の形態５における開閉装置の消弧室を、図７にもとづいて説明する。この実施の形態５における開閉装置の消弧室は、一つの相に複数の消弧空間がある場合の応用例である。
図７において、ケース１０１の内部には、２箇所の消弧空間と、電磁アクチュエータ部１０５とが収納されており、それぞれの消弧空間には、２個の磁石４Ａ、４Ｂと、これら磁石４Ａ、４Ｂの磁極面と面接合し、固定接触子３および可動接触子２と磁石４Ａ、４Ｂの間にそれぞれ延在する２個の吸引棒３と、磁石４Ａ、４Ｂおよび吸引棒３を保護する２個の絶縁カバー３ｃと、可動接点２ａを有した可動接触子２と、固定接点１ａを有した固定接触子１とを有し、これら両接触子１、２と吸引棒３をそれぞれ磁性材料で一体成型した吸引棒一体型固定接触子および吸引棒一体型可動接触子を備えている。そして、電磁アクチュエータ部１０５を図示していない外部回路より操作することで、可動接触子２を開極することができるよう構成されている。
【００３３】
この実施の形態５によれば、２箇所の消弧空間の両接点１ａ、２ａ間で発生したアークは、両一体型接触子の側面に沿いながら磁石４Ａ、４Ｂ側に向かって伸長し、磁石の配置位置付近まで引き込まれ伸張された後に、絶縁カバー３ｃからの溶発ガスにより冷却され、消弧に至る。
また、両一体型接触子に面接合する磁石４Ａ，４Ｂの磁極方向をそれぞれ異なる向きで配置することで、両一体型接触子間で作用する磁気作用による引力の効果により閉極時に発生するチャタリング現象を抑制することもできる。
【００３４】
実施の形態６．
次に、実施の形態５の変形例である実施の形態６を、図８にもとづき説明する。
図８において、２箇所の消弧空間にまたがって配置されている吸引棒一体型接触子１０において、それぞれの消弧空間の間で、磁石４を面接合して配置し、絶縁カバー３ｃで磁石４とともに保護している。
【００３５】
この実施の形態６によれば、１個の磁石４で、２箇所の消弧空間で発生したアークを同時に磁石側に向かって伸長することができるようになるため、少ない部品点数で遮断性能を高めることができるようになる。
【００３６】
なお、この発明は、その発明の範囲内において、各実施の形態を組み合わせたり、各実施の形態を適宜、変形、省略することが可能である。
【産業上の利用可能性】
【００３７】
この発明は、電流を遮断するスイッチ、開閉器、遮断器、電磁接触器、継電器などの開閉装置として好適なものである。
【符号の説明】
【００３８】
Ａ：アーク、  Ｍ：磁力線、  １：固定接触子、
１ａ：固定接点、２：可動接触子、  ２ａ：可動接点、
１１：固定側端子部、  １２：可動側端子部、
１５：可撓導体、  ３：吸引棒、  ３ｃ：磁性体用絶縁カバー、
３ｅ：凹状の細隙、  ４、４Ａ、４Ｂ：磁石、  ４１：永久磁石、
６：磁気補強板、１０：吸引棒一体型接触子、
１０Ａ：アーク転流部、  １０Ｂ：収縮部、１００：開閉装置、
１０１：ケース、  １０２：消弧室、  １０３：開閉機構部、
１０５：電磁アクチュエータ部。
【図１】
2015186245.tif 000003
【図２】
2015186245.tif 000004
【図３】
2015186245.tif 000005
【図４】
2015186245.tif 000006
【図５】
2015186245.tif 000007
【図６】
2015186245.tif 000008
【図７】
2015186245.tif 000009
【図８】
2015186245.tif 000010
【国際調査報告】
2015186245.tif 000011
2015186245.tif 000012
2015186245.tif 000013
2015186245.tif 000014